(57)【要約】【課題】良好なセキュリティ性を確保しつつ、ユーザの携帯端末が一般の通信ネットワークに接続しにくい環境等であっても、現金自動預け払い機と携帯端末との間での各種取引処理を効率よく速やかに実行可能とする。【解決手段】携帯端末の入力インターフェース２０５や通信装置２０７を介して取得した処理情報をメモリ２０３に格納する処理情報登録部２５０と、取得した処理情報を暗号化データに変換する第一暗号化部２５２と、現金自動預け払い機３００に向けて暗号化データを出力する暗号化データ出力部２５４とを備える携帯端末２００と、携帯端末２００より出力された暗号化データを取得する暗号化データ取得部３５０と、前記取得した暗号化データを復号化し処理情報を取得する第一復号化部３５２とを備える現金自動預け払い機３００と、から金融処理情報管理システム１００を構成する。【選択図】図１
2008134733.tif 000002
【特許請求の範囲】
【請求項１】
現金自動預け払い機とユーザの携帯端末との間における各種取引を実行させる処理情報を管理するシステムであって、
前記携帯端末が、
当該携帯端末の入力インターフェースや通信装置を介して取得した前記処理情報をメモリに格納する処理情報登録部と、
前記取得した処理情報をメモリより読み出して暗号化データに変換する第一暗号化部と、
前記現金自動預け払い機に向けて前記暗号化データを出力する暗号化データ出力部とを備え、
前記現金自動預け払い機が、
前記携帯端末より出力された前記暗号化データを取得する暗号化データ取得部と、
前記取得した暗号化データを復号化し、前記処理情報を取得する第一復号化部とを備えることを特徴とする、
金融処理情報管理システム。
【請求項２】
前記携帯端末において、
前記暗号化データ出力部は、サーバを介さない直接通信により前記暗号化データを前記現金自動預け払い機に送信するものであり、
前記現金自動預け払い機において、
前記暗号化データ取得部は、サーバを介さない直接通信により前記暗号化データを前記携帯端末より受信するものである、
ことを特徴とする請求項１に記載の金融処理情報管理システム。
【請求項３】
前記携帯端末は、
当該携帯端末の入力インターフェースを介して取得した暗号化パスワードをメモリに格納する暗号化パスワード登録部を備え、
前記携帯端末の第一暗号化部は、前記格納された暗号化パスワードをメモリから読み出し、該暗号化パスワードを用いて前記処理情報を前記暗号化データに変換するとともに、
前記現金自動預け払い機の前記第一復号化部は、
前記現金自動預け払い機の入力インターフェースを介して取得した暗号化パスワードを用いて、前記暗号化データ取得部で取得した暗号化データを復号化することを特徴とする、
請求項１または２に記載の金融処理情報管理システム。
【請求項４】
前記携帯端末は、
携帯端末毎にユニークな携帯端末識別情報を、当該携帯端末の適宜な記憶手段から抽出しメモリに格納する識別情報登録部を備え、
前記第一暗号化部は、前記現金自動預け払い機に向けて出力する暗号化データに、前記メモリから読み出した前記携帯端末識別情報を含める処理を実行し、
前記現金自動預け払い機は、
前記暗号化データを復号化する際に得られる携帯端末識別情報を用いてユーザの本人確認を実行する第一本人確認部を備えることを特徴とする、
請求項１〜３のいずれかに記載の金融処理情報管理システム。
【請求項５】
前記携帯端末の第一暗号化部における、前記処理情報の暗号化データへの変換処理は、当該処理情報を二次元バーコード化する処理を含み、
前記携帯端末は、前記二次元バーコードを出力インターフェースに出力するバーコード表示部を備え、
前記現金自動預け払い機の入力インターフェースは二次元バーコードリーダを含み、
前記現金自動預け払い機の前記暗号化データ取得部は、前記二次元バーコードリーダを介して前記暗号化データを取得することを特徴とする、
請求項１〜４のいずれかに記載の金融処理情報管理システム。
【請求項６】
前記現金自動預け払い機は、
前記第一復号化部で復号化し、取得した前記処理情報に基づいて取引処理を実行した結果である処理結果情報を、暗号化データに変換する第二暗号化部と、
前記携帯端末に向けて前記暗号化データを出力する第二暗号化データ出力部とを備え、
前記携帯端末は、
前記現金自動預け払い機より出力された暗号化データを取得する第二暗号化データ取得部と、
前記取得した暗号化データを復号化し、前記現金自動預け払い機より送られた処理結果情報を取得する第二復号化部と、
前記取得した処理結果情報を出力インターフェースに出力する出力部とを備えることを特徴とする、
請求項１〜５のいずれかに記載の金融処理情報管理システム。
【請求項７】
前記携帯端末は、
携帯端末毎にユニークな携帯端末識別情報を、当該携帯端末の適宜な記憶手段から抽出しメモリに格納する識別情報登録部を備え、
前記第一暗号化部は、前記現金自動預け払い機に向けて出力される暗号化データに、前記メモリから読み出された前記携帯端末識別情報を含める処理を実行し、
前記現金自動預け払い機は、
前記暗号化データを復号化する際に得られる携帯端末識別情報を用いてユーザの本人確認を実行するとともに、当該現金自動預け払い機のメモリに前記携帯端末識別情報を格納する第一本人確認部を備え、
前記第二暗号化部は、前記携帯端末に向けて出力される暗号化データに、前記メモリから読み出した前記携帯端末識別情報を含める処理を実行し、
前記携帯端末は、
前記暗号化データを復号化する際に得られる携帯端末識別情報を用いてユーザの本人確認を実行する第二本人確認部を備えることを特徴とする、
請求項６に記載の金融処理情報管理システム。
【請求項８】
現金自動預け払い機とユーザの携帯端末との間における各種取引を実行させる処理情報を管理する方法であって、
前記携帯端末が、
当該携帯端末の入力インターフェースや通信装置を介して取得した前記処理情報をメモリに格納する処理と、
前記取得した処理情報をメモリより読み出して暗号化データに変換する処理と、
前記現金自動預け払い機に向けて前記暗号化データを出力する処理とを実行し、
前記現金自動預け払い機が、
前記携帯端末より出力された前記暗号化データを取得する処理と、
前記取得した暗号化データを復号化し、前記処理情報を取得する処理とを実行することを特徴とする金融処理情報管理方法。
【請求項９】
現金自動預け払い機との間での各種取引を実行させる処理情報を管理する携帯端末であって、
当該携帯端末の入力インターフェースや通信装置を介して取得した前記処理情報をメモリに格納する処理情報登録部と、
前記取得した処理情報をメモリより読み出して暗号化データに変換する第一暗号化部と、
前記現金自動預け払い機に向けて前記暗号化データを出力する暗号化データ出力部と、を備えることを特徴とする携帯端末。
【請求項１０】
携帯端末との間での各種取引を実行させる処理情報を管理する現金自動預け払い機であって、
前記携帯端末より、前記処理情報が変換された暗号化データを取得する暗号化データ取得部と、
前記取得した暗号化データを復号化し、前記処理情報を取得する第一復号化部と、
を備えることを特徴とする、現金自動預け払い機。
【発明の詳細な説明】
【技術分野】
【０００１】
本発明は、金融処理情報管理システム、金融処理情報管理方法、および、金融処理情報管理システムを構成する携帯端末、現金自動預け払い機に関し、特に良好なセキュリティ性を確保しつつ、ユーザの携帯端末が一般の通信ネットワークに接続しにくい環境等であっても、現金自動預け払い機と携帯端末との間での各種取引処理を効率よく速やかに実行することが可能な技術に関する。
【背景技術】
【０００２】
現金自動預け払い機（ＡＴＭ：Ａｕｔｏｍａｔｉｃ  Ｔｅｌｌｅｒ  Ｍａｃｈｉｎｅ）に、例えば現金の振込みなど、各種の取引処理を実行させるためには、自身の口座の暗証番号、振込先の支店名や口座番号、入金額などの各種の情報（以下、処理情報という）を、ユーザが入力する必要がある。その処理情報の入力は、通常、タッチパネル式の表示画面などにて行うが、その入力操作には比較的時間がかかり、特に多数の振込を一度に行う場合などにおいては当該ユーザ自身も非常に時間がかかって大変である上、ＡＴＭに行列する他ユーザの待ち時間も増大してしまう。そのため、ＡＴＭにおける処理情報入力にかかる時間を短縮するための技術が提案されている。
【０００３】
例えば、特許文献１には、振込機（ＡＴＭ）の操作に必要な手間と時間を大幅に減らすことができる、現金振込システム、携帯端末、振込機、及び現金振込方法を提供することを目的とし、携帯端末と振込機とが通信ネットワークを介して接続された現金振込システムであって、前記携帯端末には、１又は２以上の振込情報を入力するための振込情報入力受付手段と、前記入力された振込情報を保持する振込情報保存手段と、前記振込情報を振込機に送信すると共に、前記振込機における振込処理の結果を受信する振込情報送受信手段とを具備し、前記振込機には、前記携帯端末から送信される振込情報を受信すると共に、振込処理の結果を前記携帯端末に送信するためのデータ送受信手段と、前記携帯端末から受信した振込情報を基に、現金の振込処理を実行するための振込情報処理手段とを具備する現金振込システムが開示されている。
【特許文献１】特開２００３−２８１３８１号公報
【発明の開示】
【発明が解決しようとする課題】
【０００４】
ところで、上記特許文献１においては、ユーザの携帯端末に前もって入力された処理情報である振込情報は、通信ネットワークを介してユーザの携帯端末からＡＴＭに送信される。しかしながら、例えば建物の地下に設置されたＡＴＭの場合など、携帯端末が通信ネットワークに接続しにくい環境では、通信の障害により振込情報がＡＴＭに到達しない、あるいは到達するまでに非常に時間がかかってしまうことが想定される。その結果、ＡＴＭにおける取引処理の実行が不安定となったり、あるいは著しく時間がかかってしまったりして、ＡＴＭ操作にかかる時間が増大し、行列する他ユーザの待ち時間も増大してしまうという懸念があった。
【０００５】
また、上記特許文献１のように携帯端末を用いてＡＴＭに情報入力を行うのではなく、従来どおりタッチパネル式表示画面などから直接ＡＴＭに対して各種の情報を入力する状況の場合、昨今多発している暗証番号等の盗み見、それに伴うスキミング等の違法行為に対し、これを効率的に阻止しうる技術の提案が望まれていた。しかも、これら違法行為等を警戒して慎重にＡＴＭ操作を進めるユーザが多くなっており、ＡＴＭ操作にかかる時間が増し、行列する他ユーザの待ち時間も増大してしまう惧れがあった。
【０００６】
また上記特許文献１のように、インターネットなど不特定多数のユーザが利用する通信ネットワーク経由で前記処理情報をやりとりする技術においては、こうした通信ネットワークから何らかの形で各種情報が漏洩する、すなわち第三者に不正に取得されるおそれがあるため、やはりセキュリティ面で問題は残っていた。
【０００７】
そこで本発明は上記課題を鑑みてなされたものであり、良好なセキュリティ性を確保しつつ、ユーザの携帯端末が一般の通信ネットワークに接続しにくい環境等であっても、現金自動預け払い機と携帯端末との間での各種取引処理を効率よく速やかに実行可能な技術を提供することを主たる目的とする。
【課題を解決するための手段】
【０００８】
上記課題を解決する本発明の金融処理情報管理システムは、現金自動預け払い機とユーザの携帯端末との間における各種取引を実行させる処理情報を管理するシステムであって、前記携帯端末が、当該携帯端末の入力インターフェースや通信装置を介して取得した前記処理情報をメモリに格納する処理情報登録部と、前記取得した処理情報をメモリより読み出して暗号化データに変換する第一暗号化部と、前記現金自動預け払い機に向けて前記暗号化データを出力する暗号化データ出力部とを備え、前記現金自動預け払い機が、前記携帯端末より出力された前記暗号化データを取得する暗号化データ取得部と、前記取得した暗号化データを復号化し、前記処理情報を取得する第一復号化部とを備えることを特徴とする。
【０００９】
また、前記金融処理情報管理システムの前記携帯端末において、前記暗号化データ出力部は、サーバを介さない直接通信により前記暗号化データを前記現金自動預け払い機に送信するものであり、前記現金自動預け払い機において、前記暗号化データ取得部は、サーバを介さない直接通信により前記暗号化データを前記携帯端末より受信するものである、とすれば好適である。
【００１０】
また、前記金融処理情報管理システムの前記携帯端末は、当該携帯端末の入力インターフェースを介して取得した暗号化パスワードをメモリに格納する暗号化パスワード登録部を備え、前記携帯端末の第一暗号化部は、前記格納された暗号化パスワードをメモリから読み出し、該暗号化パスワードを用いて前記処理情報を前記暗号化データに変換するとともに、前記現金自動預け払い機の前記第一復号化部は、前記現金自動預け払い機の入力インターフェースを介して取得した暗号化パスワードを用いて、前記暗号化データ取得部で取得した暗号化データを復号化する、とすれば好適である。
【００１１】
また、前記金融処理情報管理システムの前記携帯端末は、携帯端末毎にユニークな携帯端末識別情報を、当該携帯端末の適宜な記憶手段から抽出しメモリに格納する識別情報登録部を備え、前記第一暗号化部は、前記現金自動預け払い機に向けて出力する暗号化データに、前記メモリから読み出した前記携帯端末識別情報を含める処理を実行し、前記現金自動預け払い機は、前記暗号化データを復号化する際に得られる携帯端末識別情報を用いてユーザの本人確認を実行する第一本人確認部を備える、とすれば好適である。
【００１２】
また、前記金融処理情報管理システムの前記携帯端末の第一暗号化部における、前記処理情報の暗号化データへの変換処理は、当該処理情報を二次元バーコード化する処理を含み、前記携帯端末は、前記二次元バーコードを出力インターフェースに出力するバーコード表示部を備え、前記現金自動預け払い機の入力インターフェースは二次元バーコードリーダを含み、前記現金自動預け払い機の前記暗号化データ取得部は、前記二次元バーコードリーダを介して前記暗号化データを取得する、とすれば好適である。
【００１３】
また、前記金融処理情報管理システムの前記現金自動預け払い機は、前記第一復号化部で復号化し、取得した前記処理情報に基づいて取引処理を実行した結果である処理結果情報を、暗号化データに変換する第二暗号化部と、前記携帯端末に向けて前記暗号化データを出力する第二暗号化データ出力部とを備え、前記携帯端末は、前記現金自動預け払い機より出力された暗号化データを取得する第二暗号化データ取得部と、前記取得した暗号化データを復号化し、前記現金自動預け払い機より送られた処理結果情報を取得する第二復号化部と、前記取得した処理結果情報を出力インターフェースに出力する出力部とを備える、とすれば好適である。
【００１４】
また、前記金融処理情報管理システムの前記携帯端末は、携帯端末毎にユニークな携帯端末識別情報を、当該携帯端末の適宜な記憶手段から抽出しメモリに格納する識別情報登録部を備え、前記第一暗号化部は、前記現金自動預け払い機に向けて出力される暗号化データに、前記メモリから読み出された前記携帯端末識別情報を含める処理を実行し、前記現金自動預け払い機は、前記暗号化データを復号化する際に得られる携帯端末識別情報を用いてユーザの本人確認を実行するとともに、当該現金自動預け払い機のメモリに前記携帯端末識別情報を格納する第一本人確認部を備え、前記第二暗号化部は、前記携帯端末に向けて出力される暗号化データに、前記メモリから読み出した前記携帯端末識別情報を含める処理を実行し、前記携帯端末は、前記暗号化データを復号化する際に得られる携帯端末識別情報を用いてユーザの本人確認を実行する第二本人確認部を備える、とすれば好適である。
【００１５】
また、本発明の金融処理情報管理方法は、現金自動預け払い機とユーザの携帯端末との間における各種取引を実行させる処理情報を管理する方法であって、前記携帯端末が、当該携帯端末の入力インターフェースや通信装置を介して取得した前記処理情報をメモリに格納する処理と、前記取得した処理情報をメモリより読み出して暗号化データに変換する処理と、前記現金自動預け払い機に向けて前記暗号化データを出力する処理とを実行し、前記現金自動預け払い機が、前記携帯端末より出力された前記暗号化データを取得する処理と、前記取得した暗号化データを復号化し、前記処理情報を取得する処理とを実行することを特徴とする。
【００１６】
また、本発明の携帯端末は、現金自動預け払い機との間での各種取引を実行させる処理情報を管理する携帯端末であって、当該携帯端末の入力インターフェースや通信装置を介して取得した前記処理情報をメモリに格納する処理情報登録部と、前記取得した処理情報をメモリより読み出して暗号化データに変換する第一暗号化部と、前記現金自動預け払い機に向けて前記暗号化データを出力する暗号化データ出力部と、を備えることを特徴とする。
【００１７】
また、本発明の現金自動預け払い機は、携帯端末との間での各種取引を実行させる処理情報を管理する現金自動預け払い機であって、前記携帯端末より、前記処理情報が変換された暗号化データを取得する暗号化データ取得部と、前記取得した暗号化データを復号化し、前記処理情報を取得する第一復号化部と、を備えることを特徴とする。
【００１８】
なお、上記金融処理情報管理システムを構成する携帯端末、現金自動預け払い機のそれぞれは、各々が備える機能部を実現するプログラムを自身の記憶装置に備えている。したがって、本願発明には上記の他、前記携帯端末、現金自動預け払い機のそれぞれが備える機能部を実現するプログラムの概念も含まれる。
【００１９】
その他、本願が開示する課題、及びその解決方法は、発明の実施の形態の欄、及び図面により明らかにされる。
【発明の効果】
【００２０】
本発明によれば、良好なセキュリティ性を確保しつつ、ユーザの携帯端末が一般の通信ネットワークに接続しにくい環境等であっても、現金自動預け払い機と携帯端末との間での各種取引処理を効率よく速やかに実行できる。
【発明を実施するための最良の形態】
【００２１】
−−−システム構成−−−
以下に本発明の実施形態について図面を用いて詳細に説明する。図１は本実施形態の、金融処理情報管理システム１００（以下、システム１００という）を含むネットワーク構成図である。前記システム１００は、現金自動預け払い機（ＡＴＭ：Ａｕｔｏｍａｔｉｃ  Ｔｅｌｌｅｒ  Ｍａｃｈｉｎｅ、以下単にＡＴＭという）に例えば現金の振込みなど、各種の取引処理を実行させるために必要な情報である処理情報を、ユーザの携帯端末にあらかじめ入力しておいて、ＡＴＭ操作時にその情報をＡＴＭと効率的かつ良好なセキュリティ性のもとでやりとりするためのシステムである。ここで前記処理情報とは、具体的には、振込先の支店名や口座番号、振込額などの、取引の内容に関する情報（以下、取引情報という）や、ユーザ口座の暗証番号等の情報を含む。
【００２２】
本実施形態では一例として、金融機関であるＡ銀行のＡＴＭにおいてユーザが、自身の銀行口座預金からの振込み処理をＡＴＭに実行させる場合について説明する。システム１００は、主に、ユーザが携行する携帯端末２００と、ＡＴＭコーナーに設置されるＡＴＭ３００とからなる。本発明は、本実施形態の例に限らず、銀行以外の金融機関のＡＴＭにも適用可能であり、また、銀行口座からの振り込み処理に限らず、ＡＴＭによる各種の取引処理を実行させるための処理情報の取扱いに適用可能である。
【００２３】
携帯端末２００は、例えばインターネットなど、何らかの通信ネットワークに接続可能であってもよい。本実施形態では、後述するように、本発明の金融処理情報管理方法を実現するプログラム（アプリケーション）２０２を、Ａ銀行が管理運営するＷｅｂサーバ（以下、単にＡ銀行のＷｅｂサーバという）１０４から携帯端末２００に取得させることとしているので、その目的の下で携帯端末２００はインターネット１０２に接続可能であることとしている。また、ＡＴＭ３００はＡ銀行のホストコンピュータ（図示省略）に接続されており、当該ホストコンピュータと各種情報をやり取りしつつ、ユーザが要求する各種のＡＴＭ取引処理を実行する。
【００２４】
ユーザが携行する携帯端末２００の機能構成としては、本発明の金融処理情報管理方法を実行する機能を実現すべく、ハードディスクドライブや書き換え可能メモリなどのプログラムデータベース２０１にプログラム（アプリケーション）２０２を備えて、このプログラム２０２をメモリ２０３に読み出し、演算装置たるＣＰＵ２０４により実行する。また、前記携帯端末２００は、各種ボタン類などの入力インターフェース２０５や、液晶表示部などの出力インターフェース２０６、ならびにＡ銀行のＷｅｂサーバ１０４などの外部装置との間のデータ授受を担う通信装置２０７などを有している。携帯端末２００は、前記通信装置２０７により、Ａ銀行のＷｅｂサーバ１０４などの外部装置とインターネット１０２を介して接続し、データ授受を実行する。携帯端末２００の後述する各種機能部と、通信装置２０７との間では、Ｉ／Ｏ部２０８がデータのバッファリングや各種仲介処理を実行している。また、携帯端末２００は、入力インターフェース２０５のひとつとして、ＡＴＭ３００から、取引処理を実行した結果である処理結果情報を暗号化された二次元バーコードの形で受け取るための二次元バーコードリーダをも有している。携帯端末２００は、これらの構成を備えるものであればよく、例えば携帯電話やＰＨＳ、ＰＤＡ、ノートＰＣなどの持ち運び可能な情報機器を使用することができる。
【００２５】
他方、ＡＴＭ３００の機能構成としては、本発明の金融処理情報管理方法を実行する機能を実現すべく、ハードディスクドライブや書き換え可能メモリなどのプログラムデータベース３０１にプログラム（アプリケーション）３０２を備えて、このプログラム３０２をメモリ３０３に読み出し、演算装置たるＣＰＵ３０４により実行する。また、ＡＴＭ３００は、入力インターフェース３０５兼出力インターフェース３０６であるタッチパネル式ディスプレイ、ならびにＡ銀行のホストコンピュータとの間でデータ授受を担う通信装置３０７などを有している。ＡＴＭ３００は、前記通信装置３０７により、ホストコンピュータと専用回線などの通信ネットワークを介してデータ授受を実行する。ＡＴＭ３００の後述する各種機能部と、通信装置３０７との間では、Ｉ／Ｏ部３０８がデータのバッファリングや各種仲介処理を実行している。また、ＡＴＭ３００は、入力インターフェース３０５のひとつとして、携帯端末２００から送られる、暗号化データとしての二次元バーコードを読み取るための二次元バーコードリーダをも有している。その他、図示を省略しているが、通常のＡＴＭが備える現金受付装置、キャッシュカード受付装置、通帳受付装置などを有している。
【００２６】
続いて、前記システム１００を構成する携帯端末２００や現金自動預け払い機３００が、例えばプログラム２０２、３０２にそれぞれ基づき構成・保持する各機能部につき説明を行う。
【００２７】
まず携帯端末２００が備える各機能部につき説明を行う。携帯端末２００は、携帯端末２００の入力インターフェース２０５や通信装置２０７を介して取得した処理情報をメモリ２０３に格納する処理情報登録部２５０を備える。具体的には、ユーザ自身が入力することができる振り込み金額、口座暗証番号などの処理情報は、ユーザが入力インターフェース２０５から入力すればよい。また、振込先の銀行支店名や支店番号など、通常、ＡＴＭのタッチパネル式ディスプレイに表示された中から選択するような処理情報は、携帯端末２００をインターネット１０２に接続し、Ａ銀行のＷｅｂサーバ１０４から通信装置２０７を介して取得することとすればよい。セキュリティ上の安全性から、必要な処理情報をインターネット１０２経由で取得した後の携帯端末２００は、すみやかにインターネット１０２への接続を切断することが好ましい。
【００２８】
また、携帯端末２００は、前記取得した処理情報を暗号化データに変換する第一暗号化部２５２を備える。ここで、本実施形態における「暗号化」とは、ユーザが入力するパスワードを用いる方法や携帯端末２００にユニークな識別情報を利用するなどのさまざまな方法によるものが想定されているが、詳しくは後述する。また、第一暗号化部２５２は、後述する、暗号化パスワードをメモリ２０３から読み出し、該暗号化パスワードを用いて処理情報を前記暗号化データに変換する処理をも実行する。また、第一暗号化部２５２は、処理情報を暗号化データの形に変換する処理の一部として、当該処理情報を、二次元バーコード化する処理をも実行する。また、第一暗号化部２５２は、ＡＴＭ３００に向けて出力される暗号化データに、メモリ２０３から読み出された携帯端末識別情報を含める処理を実行する。
【００２９】
また、携帯端末２００は、ＡＴＭ３００に向けて前記暗号化データを出力する暗号化データ出力部２５４を備える。ここで、本実施形態における「暗号化データをＡＴＭ３００に向けて出力」とは、例えば二次元バーコードの形に変換した暗号化データを携帯端末２００が自身のディスプレイに表示させる方法を想定できる。この場合、ＡＴＭ３００が前記ディスプレイに表示された二次元バーコードを二次元バーコードリーダで読み取って取得することとなる。或いは、例えばインターネット１０２などサーバを介した通信ではなく直接通信（例：赤外線データ通信など、無線技術とＰ２Ｐ通信とが組み合わされた通信方法）により前記暗号化データ（或いは二次元バーコードのデータ）を携帯端末２００とＡＴＭ３００とでやりとりする方法など、さまざまなものが想定されているが、詳しくは後述する。
【００３０】
また、携帯端末２００は、携帯端末２００の入力インターフェース２０５を介して取得した暗号化パスワードをメモリ２０３に格納する暗号化パスワード登録部２５６を備える。ここで、暗号化パスワードとは、ユーザの当該銀行口座の暗証番号とは別に設定することが好ましく、ユーザがＡＴＭ３００に取引を実行させる都度、異なるワンタイム・パスワードであればセキュリティ上の安全性の点からより好ましい（よって、本実施形態では、ユーザがＡＴＭ３００に取引を実行させる都度設定するワンタイム・パスワードであることとする）。
【００３１】
また、携帯端末２００は、携帯端末毎にユニークな携帯端末識別情報を当該携帯端末２００の適宜な記憶手段（携帯端末２００における、不揮発性で、好ましくは書換不可のメモリなど）から取得し、メモリ２０３に格納する識別情報登録部２５８を備える。ここで、携帯端末毎にユニークな携帯端末識別情報とは、例えば携帯端末の製造シリアルナンバーや、電話番号（携帯端末が携帯電話やＰＨＳの場合）などが想定される。識別情報登録部２５８による携帯端末識別情報の取得は、ユーザがなんら操作することなく自動的に実行されることとすれば、ユーザによる操作が簡単かつ迅速となるため好ましい。また、本実施形態では、ＡＴＭ３００に送られる暗号化データには、情報として、メモリ２０３から読み出された携帯端末識別情報が含まれる。
【００３２】
また、携帯端末２００は、前記二次元バーコードを出力インターフェース２０６に表示させるバーコード表示部２６８を備える。また、本実施形態では、ＡＴＭ３００も、二次元バーコードを出力インターフェース３０６に表示させる、図示しないバーコード表示部（例：タッチパネル等に含まれる）を備える。
【００３３】
また、携帯端末２００は、ＡＴＭ３００より送られた暗号化データを受信する第二暗号化データ取得部２６０を備える。ＡＴＭ３００より送られた暗号化データとは、ＡＴＭ３００が、取引処理の結果である処理結果情報を暗号化データとして携帯端末２００へ向けて出力する、その暗号化データである。本実施形態では、暗号化データは二次元バーコードの形でバーコードリーダ２０５を介して受信されるので、第二暗号化データ取得部２６０は、当該バーコードリーダ２０５の動作制御などを含む機能を実行する。
【００３４】
また、携帯端末２００は、前記取得した暗号化データを復号化し、ＡＴＭ３００より送られた処理結果情報を取得する第二復号化部２６２を備える。
【００３５】
また、携帯端末２００は、前記復号化され、取得された処理結果情報を、携帯端末２００の出力インターフェース２０５に出力する出力部２６４を備える。
【００３６】
また、携帯端末２００は、前記第二復号化部２６２にて、前記暗号化データを復号化し、ＡＴＭ３００より送られた処理結果情報を取得する際に、当該暗号化データに含まれた携帯端末識別情報を用いてユーザの本人確認を実行する第二本人確認部２６６を備える。ユーザの本人確認を実行するとは、具体的には、ＡＴＭ３００より送られた暗号化データに含まれる携帯端末識別情報と、識別情報登録部２５８にて取得しメモリ２０３に格納された当該携帯端末自身の携帯端末識別情報とを照合する。
【００３７】
なお、これまで示した携帯端末２００における各機能部２５０〜２６８は、ハードウェアとして実現してもよいし、メモリ２０３やＨＤＤ（Ｈａｒｄ  Ｄｉｓｋ  Ｄｒｉｖｅ）などの適宜な記憶装置に格納したプログラムとして実現することとしてもよい。この場合、ＡＴＭ２００のＣＰＵ２０４が、プログラム実行に合わせて記憶装置より該当プログラムをメモリ２０３に読み出して、これを実行することとなる。本実施形態では、携帯端末２００がインターネット１０２経由でＡ銀行のＷｅｂサーバ１０４からダウンロードするアプリケーション、すなわちプログラムとして実現することとしている。
【００３８】
次に、ＡＴＭ３００が備える各機能部につき説明を行う。ＡＴＭ３００は、前記携帯端末２００より出力された暗号化データを取得する暗号化データ取得部３５０を備える。本実施形態では、暗号化データは二次元バーコードの形でバーコードリーダ３０５を介して受信されるので、第一暗号化データ取得部３５０は、当該バーコードリーダ３０５の動作制御などを含む機能を実行する。また、暗号化データ取得部３５０は、当該ＡＴＭ３００の二次元バーコードリーダ３０５を介して暗号化データを受信する処理をも実行する。
【００３９】
また、ＡＴＭ３００は、前記暗号化データ取得部３５０にて取得した暗号化データを復号化し、前記処理情報を取得する第一復号化部３５２を備える。第一復号化部３５２にて取得された処理情報は、通常、通信装置３０７を介してホストコンピュータに送信され、ユーザが要求する各種処理の実行に供される。また、第一復号化部３５２は、入力インターフェース３０５を介して取得した暗号化パスワードを用いて、暗号化データ取得部３５０で取得した暗号化データを復号化する処理をも実行する。
【００４０】
また、ＡＴＭ３００は、前記第一復号化部３５２にて、前記暗号化データを復号化し、携帯端末２００より出力されてきた処理情報を取得する際に、当該暗号化データに含まれた携帯端末識別情報を用いてユーザの本人確認を実行する第一本人確認部３５４を備える。ここで、ユーザの本人確認を実行するとは、具体的には、携帯端末２００より出力されてきた暗号化データに含まれる携帯端末識別情報と、あらかじめＡ銀行のホストコンピュータなどに登録された各ユーザの携帯端末識別番号情報とを照合することにより実行される。
【００４１】
また、ＡＴＭ３００は、前記第一復号化部３５２で復号化し、取得した処理情報に基づいて取引処理を実行した結果である処理結果情報を、暗号化データに変換する第二暗号化部３５６を備える。また、第二暗号化部３５６は、携帯端末２００に向けて出力される暗号化データに、メモリ３０３から読み出された携帯端末識別情報を含める処理を実行する。
【００４２】
また、ＡＴＭ３００は、携帯端末２００に向けて暗号化データを送る第二暗号化データ出力部３５８を備える。ここでの暗号化データの出力処理については、携帯端末２００における暗号化データの出力処理と同様の考え方（二次元バーコードの表示と読取り、或いは直接通信など）を採用する。
【００４３】
なお、これまで示したＡＴＭ３００における各機能部３５０〜３５８は、ハードウェアとして実現してもよいし、メモリ３０３やＨＤＤ（Ｈａｒｄ  Ｄｉｓｋ  Ｄｒｉｖｅ）などの適宜な記憶装置に格納したプログラムとして実現することとしてもよい。この場合、ＡＴＭ３００のＣＰＵ３０４が、プログラム実行に合わせて記憶装置より該当プログラムをメモリ３０３に読み出して、これを実行することとなる。
【００４４】
−−−暗号化データとその送信方法−−−
本実施形態において、「処理情報を暗号化データの形に変換する」というときの「暗号化」とは、以下の１〜３のような方法などを広く含むものとする。
【００４５】
１．テキストデータなどからなる処理情報に、携帯端末２００の暗号化パスワード登録部２５６にて取得した暗号化パスワードを設定する。この場合、暗号化データをＡＴＭ３００の第一復号化部３５２で「復号化する」とは、ＡＴＭ３００の入力インターフェース３０５からユーザが入力した同暗号化パスワードを取得し、これにて同パスワードの設定を解除することを指す。
【００４６】
２．テキストデータなどからなる処理情報を、例えば二次元バーコードのように、何らかのアルゴリズムを用いて、そのままでは情報の内容が人間には読み取れない形のデータに変換すること。この場合、暗号化データをＡＴＭ３００の第一復号化部３５２や携帯端末２００の第二復号化部２６２で「復号化する」とは、二次元バーコードを元のテキストデータなどからなる処理情報に復元することを指す。
【００４７】
３．携帯端末２００にユニークな携帯端末識別情報が処理情報と共に送信され、それによってユーザの本人確認が必要となること。単に処理情報と携帯端末識別情報とをセットにして送信するだけでもよいし、この携帯端末識別情報を上記１のケースのようなパスワードとして使用するなどしてもよい。この場合、暗号化データをＡＴＭ３００の第一復号化部３５２や携帯端末２００の第二復号化部２６２で「復号化する」処理には、ＡＴＭ３００の第一本人確認部３５４や携帯端末２００の第二本人確認部２６６にて、この携帯端末識別情報を用いて本人確認処理を実行することを含む。仮に第三者が不正に入手した処理情報で、自身の携帯端末からＡＴＭ操作を行おうとした場合などは、携帯端末識別情報が本来のユーザのものと異なるためにエラーメッセージが出るなどして不正アクセスが防止されることとなる。そのためには、前記携帯端末識別情報を予め前記ＡＴＭ３００が照合元データとして保持しておくか、認証処理に際してＡＴＭ３００が携帯端末２００に携帯端末識別情報のリクエストを送り、照合元データとして取得するとしてもよい。
【００４８】
なお、これら１〜３のような方法を組み合わせて使用すればセキュリティ上の安全性がより高く確保され、好ましい。本実施形態では、上記１〜３の方法をすべて組み合わせて用いる。さらに、二次元バーコードは、ＱＲコードなど既存の仕様のものをそのまま用いるよりも、独自の仕様のものを使うこととすれば、仮に悪意の第三者が携帯端末２００やＡＴＭ３００の出力インターフェース２０５、３０５に表示された二次元バーコードを、撮影するなどして不正に取得したとしても、その二次元バーコードの元データである処理情報を復元するためのソフトウェアなどを入手できない限り、処理情報の内容を知ることができない。従って、セキュリティ上、より好ましい。
【００４９】
また、暗号化データの携帯端末２００とＡＴＭ３００との間での送受信方法は、本実施形態のような二次元バーコードリーダを使用するものに限定されず、例えばＩｒＤＡなどの赤外線通信やブルートゥース（登録商標）などの無線通信を用いることとしてもよい。そのような場合、入力インターフェース２０５、３０５は、二次元バーコードリーダの代わりにそれら赤外線通信や無線通信のポートを含むこととすればよい。あるいは、携帯端末２００からインターネットなどの通信ネットワークを経由してＡＴＭ３００に送信したりすることも可能である。
【００５０】
−−−処理情報のデータ内容−−−
次に、本実施形態の携帯端末２００からＡＴＭ３００に送信される処理情報の内容について説明する。図２は、携帯端末２００からＡＴＭ３００に送られる処理情報４００の内容の一例を示す図である。この処理情報４００のうち、第１行の「自身の口座番号・口座暗証番号」および第４行の「暗号化パスワード」は、本実施形態では、ユーザ自身が携帯端末２００の入力インターフェース２０５から入力する。第３行の「振込先銀行・支店名とその番号」は、通常、ＡＴＭのタッチパネル式ディスプレイに表示された中から選択するような処理情報であって、本実施形態では、携帯端末２００をインターネット１０２に接続し、Ａ銀行のＷｅｂサーバ１０４から通信装置２０７を介して取得する。第５行の「携帯端末識別情報」は、携帯端末２００のプログラム２０２のうち、識別情報登録部２５８が自動的に取得し、暗号化データ出力部２５４や第二暗号化データ出力部３５８によりＡＴＭ３００や携帯端末２００に向けて送信され、第一本人確認部３５４や第二本人確認部２６６にて使用されるので、ユーザが特にその内容を意識する必要はない。
【００５１】
−−−処理フロー例−−−
以下、本実施形態における金融処理情報管理方法に対応する処理フロー例について、図に基づき説明する。なお、以下で説明する金融処理情報管理方法に対応する各種動作は、前記システム１００すなわち携帯端末２００およびＡＴＭ３００が、適宜なメモリ２０３、３０３に読み出して実行するプログラム２０２、３０２によって実現される。そして、こうしたプログラム２０２、３０２は、以下に説明される各種の動作を行うためのコードからそれぞれ構成されている。
【００５２】
−−−処理フロー例１−−−
図３は、本実施形態の金融処理情報管理方法の実施手順例１を示すフロー図である。ここではまず、ユーザが自身の預金口座からの振込処理をＡＴＭ３００に実行させるべく、まずその準備段階としての暗号化データの作成、すなわち、ＡＴＭ３００に振り込み処理を実行させるために必要な処理情報を携帯端末２００に入力し、これを暗号化データに変換して携帯端末２００に保存するまでの手順について説明する。
【００５３】
まず、ユーザの携帯端末２００では、インターネット１０２に接続し、Ａ銀行のＷｅｂサーバ１０４から、本実施形態の金融処理情報管理方法を実現するアプリケーション、すなわち携帯端末２００が備える上記各機能部を含むプログラム２０２をダウンロードする（ｓ１００）。ダウンロード終了後、インターネット１０２への接続を切断し、当該アプリケーション２０２を起動する（ｓ１０２）。
【００５４】
次に、携帯端末２００では、処理情報登録部２５０により、図２に示した処理情報４００が取得され、メモリ２０３に格納される（ｓ１０４）。その際、処理情報４００の第３行の情報である「振込先の銀行・支店名とその番号」は、携帯端末２００をインターネット１０２に接続し、Ａ銀行のＷｅｂサーバ１０４から、通信装置２０７を介して取得する。「自身の口座番号、口座暗証番号」、「振り込み金額、振り込み元の名義人」、および「暗号化パスワード」の各情報は、入力インターフェース２０５を介してユーザにより入力された情報が取得され、メモリ２０３に登録される。このうち、「暗号化パスワード」は、暗号化パスワード登録部２５６により、取得・格納される。これら取得された情報は、携帯端末２００の出力インターフェース２０６に表示され、ユーザによる修正情報の入力などを受け付ける。
【００５５】
次に、あるいはステップｓ１０４と平行して、携帯端末２００の識別情報登録部２５８は、自動的に携帯端末２００の携帯端末識別情報を取得し、メモリ２０３に格納する（ｓ１０６）。次に、携帯端末２００では、第一暗号化部２５２により、処理情報を暗号化データに変換する処理が実行される（ｓ１０８）。その際、先にメモリ２０３に格納された暗号化パスワードが読み出され、処理情報にこの暗号化パスワードによって例えばパスワードロックなどのセキュリティ措置がなされる。また、暗号化データへの変換処理には、例えば独自仕様の二次元バーコードへの変換処理も含まれる。変換された二次元バーコードは、バーコード表示部２６８により、出力インターフェース２０６に表示される。さらに、この暗号化データには、メモリ２０３から読み出された携帯端末識別情報を含むように処理される。
【００５６】
次に、携帯端末２００では、出力インターフェース２０６に表示された二次元バーコードを、ユーザの保存要求によってメモリ２０３に保存する処理が実行される（ｓ１１０）。ここで、ユーザがまとめて複数件の振込を行う予定であれば、当該複数件分の暗号化された二次元バーコードを保存しておくことができるが、その際、各暗号化データの区別がつくように、ユーザがタイトル名を自由に入力できる機能などがあれば好ましい。
【００５７】
以上により、処理情報の暗号化データが作成されたので、携帯端末２００はアプリケーション２０２を終了し（ｓ１１２）、本フロー例はこれで終了となる。
【００５８】
−−−処理フロー例２−−−
図４は、本実施形態の金融処理情報管理方法の実施手順例２を示すフロー図である。処理フロー例１で作成され保存された暗号化データを用いて、ユーザの預金口座からの振込処理をＡＴＭ３００に実行させる手順について説明する。
【００５９】
まず、ユーザの携帯端末２００では、アプリケーション２０２を起動する（ｓ２００）。アプリケーション２０２では、保存されている暗号化データの一覧が表示され（ｓ２０２）、ユーザが入力インターフェース２０５にて所望の振込取引に関する暗号化データを選択すると、当該暗号化データに対応する二次元バーコードがバーコード表示部２６８により、出力インターフェース２０６に表示される（ｓ２０４）。
【００６０】
次に、二次元バーコードが表示された出力インターフェース２０６が、ユーザによりＡＴＭ３００のバーコードリーダ３０５にかざされると、ＡＴＭ３００の暗号化データ取得部３５０は、前記携帯端末２００が出力してきた二次元バーコードたる暗号化データを読み取って取得する（ｓ２０６）。
【００６１】
次に、ＡＴＭ３００では、第一復号化部３５２にて、ステップｓ２０６において取得した二次元バーコードたる暗号化データを復号化する処理を実行する（ｓ２０８）。本実施形態では具体的には、二次元バーコードの元データへの復元、元データである処理情報にかけられた暗号化パスワードの解除、第一本人確認部３５４による、携帯端末識別情報を用いたユーザの本人確認、が実行される。
【００６２】
本実施形態における暗号化データには、上記ステップｓ１０４においてユーザにより入力された暗号化パスワードがかけられているため、このステップｓ２０８の実行時に、ＡＴＭ３００は、ユーザに対する当該暗号化パスワードの入力要求を出力インターフェース３０６に表示する。ユーザはこれを受けて、入力インターフェース３０５であるタッチパネルから暗号化パスワードを入力する。一方、ＡＴＭ３００の第一復号化部３５２では、前記二次元バーコードを二次元バーコードの復号アプリケーションに基づき元データ（パスワードロックがかかった処理情報）に変換する一方で、ユーザに入力された暗号化パスワードを用いて、前記元データのパスワードロック解除を実行することとなる。暗号化パスワードが正しいものであれば前記ロック解除処理等が実行され、正しいものでなければ、再度、暗号化パスワード入力を要求する画面を出力インターフェース３０６に表示する。
【００６３】
さらに、第一本人確認部３５４によるユーザの本人確認などが問題なく実行され、第一復号化部３５２により、処理情報が取得された場合は、通信装置３０７を介してＡＴＭ３００からＡ銀行のホストコンピュータに当該処理情報が送信され、ユーザ所望の振込取引を実行するための処理情報が確認される（まだ処理実行はされない）。第一本人確認部３５４では、ユーザの本人確認処理の際に利用した携帯端末識別情報を、ＡＴＭ３００のメモリ３０３に格納する（ｓ２１０）。
【００６４】
次に、ＡＴＭ３００では、前記ホストコンピュータによる処理情報の確認結果である処理結果情報を、携帯端末２００に送り返すべく、第二暗号化部３５６により暗号化する処理を実行する（ｓ２１２）。本実施形態では、ＡＴＭ３００の第二暗号化部３５６も、携帯端末２００の第一暗号化部２５２と同様の二次元バーコード生成機能が備わっており、同様の二次元バーコードの形の暗号化データが作成される。この作成された暗号化データは、第二暗号化データ出力部３５８より、携帯端末２００に、サーバなどを経由せず、直接通信により送られる（ｓ２１４）。具体的には、ＡＴＭ３００の出力インターフェース３０６に表示される二次元バーコードの上に、ユーザが、携帯端末２００をかざすことで、携帯端末２００の入力インターフェース２０５の一部であるバーコードリーダが二次元バーコードの画像を読み取り、前記第二暗号化データ取得部２６０が前記バーコードリーダより二次元バーコードのデータを取得する。
【００６５】
またステップｓ２１０においては、第二暗号化部３５６により、前記二次元バーコードの復号化ステップｓ２０８において得られた携帯端末識別情報がメモリ３０３から読み出され、携帯端末２００に向けて出力される暗号化データに当該携帯端末識別情報を含める処理が実行される。
【００６６】
ステップｓ２１４においてＡＴＭ３００から携帯端末２００に出力された、処理結果情報の暗号化データは、携帯端末２００の第二復号化部２６２において復号化される（ｓ２１６）。この際、携帯端末２００の第二本人確認部２６６において、携帯端末識別情報を利用してユーザの本人確認処理が実行される。悪意の第三者が異なる携帯端末で暗号化データを読み取ったとしても、この本人確認ではじかれてしまう。
【００６７】
次に、ステップｓ２１６において復号化された処理結果情報は、出力部２６４により、携帯端末２００の出力インターフェース２０６に表示される（ｓ２１８）。ユーザはこの処理結果情報を参照し、すべて正しい振込処理が実行されようとしているかどうかを確認し、もしも自身が携帯端末２００に入力してＡＴＭ３００に送った情報に誤りがあれば、あるいは、処理結果情報に何らかのエラーがあれば、再度、ステップｓ２０４や、必要であればステップｓ１００に戻り、それらステップからの処理が繰り返される。
【００６８】
ユーザが処理結果情報を確認した結果、所望の取引内容に間違いがないことが確認されれば、ＡＴＭ３００の入力インターフェース３０５などにおいて「処理実行」の指示を入力し（ｓ２２０）、ＡＴＭ３００に所望の処理を実行させる（ｓ２２２）。なお、ユーザの預金口座から指定の振込先への振込処理を実行するのではなく、ユーザが現金を用いて振込を実行する状況であれば、前記ステップｓ２２０の前に、ＡＴＭ３００の現金投入口（ユーザが事前に現金振込を指示してＡＴＭ３００が開口）に所定金額の現金（紙幣、硬貨）を投入することとなる。
【００６９】
以上でフロー例２は終了する。ＡＴＭ３００で振り込み処理を実行した結果に関する情報、すなわち預金残高などの情報も、ステップｓ２１２〜ｓ２１８と同様の処理によって携帯端末２００に表示され、この情報を携帯端末２００に保存できることとすれば好ましい。
【００７０】
以上、本実施形態によれば、二次元バーコードの形に変換し暗号化データとした処理情報を、ＡＴＭ３００および携帯端末２００の二次元バーコードリーダ２０５等で直接的に授受するため、インターネットなどの通信ネットワークに接続しにくい環境であっても、ＡＴＭ３００に対しての前記処理情報の入力やその処理結果の出力、確認等が速やかに実行される。ひいては、ＡＴＭ操作を行うユーザ自身のＡＴＭ操作時間の短縮、およびＡＴＭに行列する他ユーザの待ち時間短縮といった効果を奏することも可能となる。
【００７１】
また、ユーザの口座暗証番号や振込みに関する情報は、暗号化データの形に変換されて携帯端末２００とＡＴＭ３００との間で授受され、銀行口座のキャッシュカード等を携行する必要が特にないため、ユーザの預金口座暗証番号などを悪意の第三者がキャッシュカードからスキミングすることは非常に困難である。また、暗号化データは、インターネットなどのネットワークを経由せず、携帯端末２００とＡＴＭ３００との間で直接的に授受され、しかもその間、携帯端末２００は通信ネットワークへの接続を切断した状態で前記授受を実行することが可能であるため、通信ネットワークから何らかの形で各種情報が漏洩する可能性もない。さらに、暗号化データとしては、独自仕様の二次元バーコードを用いるとすれば、悪意の第三者が何らかの方法で携帯端末２００やＡＴＭ３００の出力インターフェース２０５、３０５から二次元バーコードを撮影するなどし、不正に取得したとしても、データの復元は困難である。さらに、二次元バーコードを生成する前の処理情報に対し、ユーザが暗号化パスワードとしてのワンタイム・パスワードを設定することとすれば、仮に第三者が本仕様の二次元バーコードの復元方法を知ったとしても、同暗号化パスワードがわからなければ処理情報の内容を知ることはできない。さらに、携帯端末２００がユニークに保有する識別情報をも使用して、ＡＴＭ３００側でユーザの本人確認を行うこととすれば、この識別番号をも知ることができない限り、悪意の第三者がユーザに成りすまして別の携帯端末からＡＴＭ操作を行うことは非常に難しい。これらのように、ＡＴＭ３００の使用にともなうセキュリティ面の安全性も厳重に確保されている。
【００７２】
以上、本発明の実施の形態について、その実施の形態に基づき具体的に説明したが、これに限定されるものではなく、その要旨を逸脱しない範囲で種々変更可能である。
【図面の簡単な説明】
【００７３】
【図１】本実施形態の金融処理情報管理システムを含むネットワーク構成図である。
【図２】本実施形態における処理情報のデータ内容例を示す図である。
【図３】本実施形態の金融処理情報管理方法に対応する処理フロー例１を示す図である。
【図４】本実施形態の金融処理情報管理方法に対応する処理フロー例２を示す図である。
【符号の説明】
【００７４】
１００  金融処理情報管理システム
２００  携帯端末
２０１  プログラムデータベース
２０２  プログラム
２０３  メモリ
２０４  ＣＰＵ
２０５  入力インターフェース
２０６  出力インターフェース
２０７  通信装置（通信装置）
２０８  Ｉ／Ｏ部
２５０  処理情報登録部
２５２  第一暗号化部
２５４  暗号化データ出力部
２５６  暗号化パスワード登録部
２５８  識別情報登録部
２６０  第二暗号化データ取得部
２６２  第二復号化部
２６４  出力部
２６６  第二本人確認部
３００  現金自動預け払い機
３０１  プログラムデータベース
３０２  プログラム
３０３  メモリ
３０４  ＣＰＵ
３０５  入力インターフェース
３０６  出力インターフェース
３０７  通信装置
３０８  Ｉ／Ｏ部
３５０  暗号化データ取得部
３５２  第一復号化部
３５４  第一本人確認部
３５６  第二暗号化部
３５８  第二暗号化データ出力部
【図１】
2008134733.tif 000003
【図２】
2008134733.tif 000004
【図３】
2008134733.tif 000005
【図４】
2008134733.tif 000006